(57)【要約】【課題】使用者の肩幅方向だけでなく身長方向にも押圧用突起部の位置を微調整でき且つ微調整された突起部をその位置でしっかりと保持できる押圧器を提供する。【解決手段】一の板面から他の板面へ向けて貫通するか窪む穴4が、その形状を同じくして、互いに離間させて複数設けられた基板2と、先端側に押圧用突起部6を形成する一方、基端側に穴4と嵌合して、穴4へ着脱自在に挿着される凸部7を形成した突起体5と、を具備し、突起部6を同形状にした一対の突起体5が少なくとも一組用意されている押圧器1において、穴4が平面視正多角形にして且つ一の板面3a上に縦横に複数設けられ、さらに、凸部7が穴4と嵌合する正多角柱部であり、且つ押圧用突起部6の底面60を穴4の開口40よりも大きくすると共に、その底面の中心60cから周縁69側に偏心させた地点60pを凸部7の中心軸7cが通って、底面60の一部分から凸部7が突出形成されている。【選択図】図１
2017176709.tif 000002
【特許請求の範囲】
【請求項１】
一の板面から他の板面へ向けて貫通するか窪む穴が、その形状を同じくして、互いに離間させて複数設けられた基板と、先端側に押圧用突起部を形成する一方、基端側に前記穴と嵌合して、該穴へ着脱自在に挿着される凸部を形成した突起体と、を具備し、前記突起部を同形状にした一対の該突起体が少なくとも一組用意されている押圧器において、
前記穴が平面視正多角形にして且つ前記一の板面上に縦横に複数設けられ、さらに、前記凸部が前記穴と嵌合する正多角柱部であり、且つ前記押圧用突起部の底面を前記穴の開口よりも大きくすると共に、その底面の中心から周縁側に偏心させた地点を前記凸部の中心軸が通って、該底面の一部分から前記凸部が突出形成されていることを特徴とする押圧器。
【請求項２】
前記穴が一の板面から他の板面に向けて貫通する平面視正方形の透孔であり、且つ前記凸部が正四角柱部であり、さらに該凸部周りに在る前記突起部の底面が、前記透孔への該凸部の挿着により、前記基板の板面に当接する請求項１記載の押圧器。
【請求項３】
前記基板及び前記突起体が木製にして、さらに、前記基板が起立状態下で、前記透孔が左右対称に複数列設けられると共に上下方向に複数段設けられた請求項２記載の押圧器。
【請求項４】
前記凸部の側壁面から突出する疣状小突起をさらに具備し、前記透孔への該凸部の挿着により、該小突起が該透孔を形成する内壁部分に圧着する請求項３記載の押圧器。
【請求項５】
前記基板が椅子の背板を構成し、且つ前記突起部の形状が異なる突起体が、複数組用意されている請求項１乃至４のいずれか１項に記載の押圧器。
【発明の詳細な説明】
【技術分野】
【０００１】
本発明は肩こりや血液,リンパ液の流れ等を良くするための押圧器で、特に筋肉や関節部又はそれらの周りの筋硬結部を弛緩させるのに好適な押圧器に関する。
【背景技術】
【０００２】
肩こりや腰痛持ち等の人が多いことから、これらの治療に用いる押圧器(押圧治療器,指圧器等とも呼ばれる)が種々提案されている。
こうしたなか、治療器本体に治療用指圧棒や突起部が、その取付け位置を変更可能なように、着脱自在に取付けることのできる発明がいくつか提案されている。
【先行技術文献】
【特許文献】
【０００３】
【特許文献１】特開２０００−３５０７６９号公報
【特許文献２】特開平８−１５５００１号公報
【発明の開示】
【発明が解決しようとする課題】
【０００４】
しかるに、特許文献１は、その請求項１に記載のごとく「背面に柱（１）との結合部を有する治療器本体（２）の前面に指圧棒挿入孔（３）を複数設け、この指圧棒挿入孔（３）に挿入出来る指圧棒（７）と、より成る指圧棒移動式治療器。」で、指圧棒が指圧棒挿入孔に挿着して取付けられる構成であり、該指圧棒の取付け位置の微調整が難しかった。また、水平横方向に一つの指圧棒しか存在しないことから、例えば肩幅方向に一対存在する肩甲骨の内側にそれぞれ同時にあてがうのが困難であった。さらに、指圧棒が指圧棒挿入孔に挿着して取付けるだけの構成であり、指圧棒は指圧棒挿入孔を形成する治療器本体の板厚部分で支持されているにすぎず、不安定であった。
特許文献２は、その請求の範囲のごとく「…ベースは本体と、この本体の上面に沿ってスライド自在とされた可動部とからなり、…可動部の上面に該可動部のスライド方向と直交する方向に所定の間隔で並ぶ２本の突起部が着脱自在に取付けられており、突起部はその高さが異なるものが複数用意されていることを特徴とする指圧器。」で、微調整がスライド自在の可動部に依存するため、突起部の安定固定化が難しかった。使用中に突起部がずれる虞があった。またスライド自在の可動部は一方向しか移動調整できないため、肩幅方向の一方向に突起部の移動調整ができても、使用者の身長方向（高さ方向）への位置調整が不可能であった。さらにいえば、特許文献２の指圧器は床面等に置いた後、使用者がその上に仰向けに寝て使用するタイプであり、例えば座位状態で背中部分に立てて使用するのが難しかった。
【０００５】
本発明は、上記問題を解決するもので、使用者の肩幅方向だけでなく身長方向にも押圧用突起部の位置を微調整でき且つ微調整された突起部をその位置でしっかりと保持できる押圧器を提供することを目的とする。
【課題を解決するための手段】
【０００６】
上記目的を達成すべく、請求項１に記載の発明の要旨は、一の板面から他の板面へ向けて貫通するか窪む穴が、その形状を同じくして、互いに離間させて複数設けられた基板と、先端側に押圧用突起部を形成する一方、基端側に前記穴と嵌合して、該穴へ着脱自在に挿着される凸部を形成した突起体と、を具備し、前記突起部を同形状にした一対の該突起体が少なくとも一組用意されている押圧器において、前記穴が平面視正多角形にして且つ前記一の板面上に縦横に複数設けられ、さらに、前記凸部が前記穴と嵌合する正多角柱部であり、且つ前記押圧用突起部の底面を前記穴の開口よりも大きくすると共に、その底面の中心から周縁側に偏心させた地点を前記凸部の中心軸が通って、該底面の一部分から前記凸部が突出形成されていることを特徴とする押圧器にある。請求項２の発明たる押圧器は、請求項１で、穴が一の板面から他の板面に向けて貫通する平面視正方形の透孔であり、且つ前記凸部が正四角柱部であり、さらに該凸部周りに在る前記突起部の底面が、前記透孔への該凸部の挿着により、前記基板の板面に当接することを特徴とする。請求項３の発明たる押圧器は、請求項２で、基板及び前記突起体が木製にして、さらに、前記基板が起立状態下で、前記透孔が左右対称に複数列設けられると共に上下方向に複数段設けられたことを特徴とする。請求項４の発明たる押圧器は、請求項３で、凸部の側壁面から突出する疣状小突起をさらに具備し、前記透孔への該凸部の挿着により、該小突起が該透孔を形成する内壁部分に圧着することを特徴とする。請求項５の発明たる押圧器は、請求項１〜４で、基板が椅子の背板を構成し、且つ前記突起部の形状が異なる突起体が、複数組用意されていることを特徴とする。
【発明の効果】
【０００７】
本発明の押圧器は、押圧用突起部を使用者の肩幅方向のみならず身長方向にも微調整でき、しかも基板に簡便に取付け,取外しができ、さらに取付け後の突起部が位置ずれすることなく基板に確実に保持され、さらにいえば仰向け状態に加えて座位状態でも使用可能になるなど優れた効果を発揮する。
【図面の簡単な説明】
【０００８】
【図１】本発明の押圧器の一形態で、その全体斜視図である。
【図２】図１のII-II線断面図で、（イ）は穴が透孔の場合、（ロ）が穴が凹穴の場合である。
【図３】図２の透孔に突起体の凸部を挿着した断面図で、（イ）が図２（イ）の対応断面図、（ロ）が（イ）の凸部を中心軸を中心に１８０°回転させた断面図である。
【図４】（イ）〜（ニ）は、四角柱の凸部を反時計回りに９０°ずつ順次回転させて透孔へ挿着した際の突起部底面の動きを示す説明図である。
【図５】基板に一対の突起体を挿着した押圧器の平面図で、突起部底面の周縁を図４（イ）〜（ニ）に対応表示した平面図である。
【図６】図１〜図５とは異なる他態様の一対の突起体の斜視図である。
【図７】図１〜図５、図６とは異なる別態様の一対の突起体の斜視図である。
【図８】図１と異なる縦長基板に、図６の突起体を挿着した他態様の押圧器の斜視図である。
【図９】図８の押圧器が背板として組み込まれた椅子の斜視図である。
【発明を実施するための形態】
【０００９】
以下、本発明に係る押圧器について詳述する。図１〜図９は本発明の押圧器の一形態で、図１はその全体斜視図、図２は図１のII-II線断面図、図３は図２の穴に突起体を挿着した断面図、図４は四角柱の凸部を反時計回りに９０°ずつ回転させて透孔へ挿着した際の突起部底面の動きを示す説明図、図５は基板に一対の突起体を挿着した押圧器の平面図、図６は他態様の一対の突起体の斜視図、図７は別態様の一対の突起体の斜視図、図８は他態様の押圧器の斜視図、図９は図８の押圧器を背板として組み込んだ椅子の斜視図を示す。尚、各図は図面を判り易くするため簡略図示し、本発明に直接関係しない構成部分を省く。図５の突起部６は底面周縁６９のみ描く。
【００１０】
押圧器１は、図１〜図５ごとくの基板２と突起体５とを備える。基板２には、一の板面３ａから他の板面３ｂへ向けて貫通するか窪む穴４が、その形状を同じくして、互いに離間させて複数設けられる。
突起体５は、先端側に押圧用突起部６が形成される一方、基端側に穴４と嵌合して、該穴４へ着脱自在に挿着される凸部７が形成される。押圧用突起部６の底面６０は、穴４の開口４０よりも大きく設定される（図２）。ここでの突起部６は主部分６１たる円柱体の上面に頂部に丸みのある円錐形先端部分６２を延在させた立体形状とし、突起部６の頂部がトリガーポイントに押圧し易い形状とする。トリガーポイントとは筋肉内でコリコリして硬くなった部分で、肩凝りや痛み等の症状の大半はこのトリガーポイントに起因するとされる。一対の突起体５が少なくとも一組用意される押圧器１になっている。
【００１１】
穴４は平面視正多角形にして且つ基板２に係る板本体３の一の板面３ａ上に縦横に複数設けられる。穴４と嵌合する前記凸部７を正多角柱部とする。正多角形とは辺の長さが全て等しく且つ内角の大きさも全て等しい多角形である。基板２が起立状態下で、穴４が左右対称に複数列設けられると共に上下方向に複数段設けられるのが好ましい。人の体には多数のトリガーポイントがある。人間の体が略左右対称であるが、肩幅等が違い、また身長も異なる。そこで、図１の略方形板状の基板２では、その板面横方向に穴４を、中央の縦方向センターを中心に３列ずつ左右対称に設け、また上下方向は縦方向センター寄り内側で上縁３７近くに３段、その外側に５段、最外側で両側縁３９沿いに上縁３７から下縁３９に向けて６段の穴４を設け、体の大きさや体型の異なる人にも対応できるようにしている。
さらに、押圧用突起部６の底面の中心６０ｃから周縁側に偏心させた地点を凸部７の中心軸７ｃが通って、該底面６０の一部分から凸部７を突出形成する。故に、平面視多角形の穴４にその辺の数だけ、正多角柱部の凸部７に係る側面７５を変えて嵌合挿着させることができる。穴４の一の特定した辺に対し、凸部７の側面７５を順次変更して嵌合させると、突起部６の底面の中心６０ｃから偏心させた地点６０ｐを凸部７の中心軸７ｃが通っているので（図３）、基板２上での突起部６の場所を微調整した所定位置へと変化させることができる。尚、本発明でいう平面視多角形は、穴４の作製上、その角部に図１のごとく丸みができるのを許容する。同様に、正多角柱部も、凸部７の作製上、その角部に図４のごとく丸みができるのを許容する。
【００１２】
穴４は、図２（ロ）のように一の板面３ａから他の板面３ｂへ向けて窪んだ凹穴４１でも、図２（イ）のように一の板面３ａから他の板面３ｂへ向けて貫通した透孔４２でもよい。ただ、透孔４２の作り易さ、さらに基板２の板本体３が同じ板厚３ｔを有していても、凹穴４１に凸部７を挿着させた時の内壁部分３１の当接高さが、透孔４２の場合の内壁部分３２と比べ、凹穴底を形成する分だけ短くなり、挿着一体化が多少弱まるので、透孔４２の方がより好ましい。
本実施形態は、穴４をさらに作製し易い平面視正方形の透孔４２ａとし、凸部７を図１〜図５のごとくより作製し易い正四角柱部７２ａとする。正四角柱部７２ａの高さ７ｈは、基板の板本体３に係る板厚３ｔ、いいかえれば透孔４２の深さに略一致させている。透孔４２への凸部７の挿着により、凸部７周りに在る突起部６の底面６０が基板２の板面３ａに当接して、突起部６が基板２上に安定載置される。
また、凸部７の一側壁面７５に疣状小突起８が突出形成される。透孔４２への凸部７の挿着により、小突起８が透孔４２を形成する内壁部分３２に圧着する。透孔４２への凸部７の挿着時、小突起８を内壁部分３２に圧着させて、基板２からの突起体５の脱落防止が図られる。
【００１３】
図４（イ）〜（ニ）に、透孔４２に凸部７を挿着した突起体５に係る突起部６の底面６０の動きを示す。突起部６の底面の中心６０ｃから凸部７の中心軸７ｃを既述のごとく偏心させている。平面視正方形の透孔４２ａを備えた基板２と、正四角柱部７２ａの凸部７を備えた突起体５にすると、基板２に複数の透孔４２を形成したうちの一つの透孔４２であっても、その内壁部分３２に、凸部７の側面７５を順次変えて挿着することによって、突起部６の位置を図４のごとく四方に少し移動させることができる。図４は突起部６の底面位置の動きが判り易いように、その底面６０の周縁６９を、図４（イ）は実線、図４（ロ）は点線、図４（ハ）は一点鎖線、図４（ニ）は二点鎖線で描く。
【００１４】
詳しくは、図４（イ）で小突起８を同図の上にして凸部７を挿着した突起部底面６０は、透孔４２に対し紙面右斜め上方位置へ全体がずれて配され、図４（ロ）で小突起８を同図の左にして凸部７を挿着した突起部底面６０は、透孔４２に対し紙面左斜め下方位置へ全体がずれて配される。同様に、図４（ハ）は、小突起８を同図の下にして突起部底面６０が透孔４２に対し紙面右斜め下方位置へずれて配され、図４（ニ）は、小突起８を同図の右にして突起部底面６０が透孔４２に対し紙面右斜め上方位置へずれて配される。かくして、基板２に在る同じ透孔４２に一つの凸部７を挿着するのでも、透孔４２を形成する一の内壁部分３２に面する凸部７の側面７５を変えることによって、突起部６の配置が、図５の基板２上でいえば紙面上下左右へと微妙に変化する押圧器１になっている。図５の底面周縁６９の実線,点線,一点鎖線,二点鎖線は、図４の（イ）,（ロ）,（ハ）,（ニ）に対応する。
【００１５】
平面視正方形の透孔４２ａ且つ正四角形柱部の凸部７２ａとすると、一の透孔４２が基板２上の固定地点であっても、そこに凸部７を挿着したときの突起部６を、図４,図５のように四カ所の配置箇所へ移動させることができる。よって、本押圧器１の使用者は基板２に在る各透孔４２への突起部６の配置を適宜微調整できる。
同様に、正面視が正三角形,正五角形,正六角形,…の透孔４２にして、正三角柱部,正五角柱部,正六角柱部,…の凸部７にすると、一の透孔４２の固定地点に凸部７を挿着したときの突起部６は、三ヶ所,五ケ所,六ヶ所,…の配置箇所へ移動させてセットできる。ただ、作り易さ,コスト面等から、平面視正方形の透孔４２ａ且つ正四角形柱部の凸部７２ａとするのがより好ましい。
また、押圧器１を構成する基板２と突起体５は、プラスチック製等でもよいが、木製がより好ましい。木製基板２,木製突起体５とすることによって、木のもつぬくもり,香りや、木製特有の弾性,可撓性を有し、透孔４２への凸部７の挿着時に、小突起８が透孔４２を形成する内壁部分に適度の圧着で、基板２に突起体５を保持できるからである。
【００１６】
一方、基板２の透孔４２に凸部７が挿着された突起体５は、突起部６を手に持って引き抜いてもよいが、例えば透孔４２に挿着した凸部７の先端面７６を突起部６側へ向けて、小突起８が透孔４２の内壁面に圧着する力を越えた力で押してやれば、透孔４２から突起体５を容易に取り外すことができる。そして、また基板２の新たな位置の透孔４２に凸部７を挿着して、使用者それぞれに合った基板２の箇所に突起体５をセットできる。
押圧器１は図１,図５のごとく手軽に持ち運べる大きさであり、場所や時間を問わず、自分の生活ペースに合わせて一人で使用できるものになっている。
【００１７】
図６,図７に、図１〜図５の突起体５に代わる他態様の突起体５を示す。図６の一対の突起体５は、夫々凸部７を図１〜図５の突起体５の凸部７と同じくするが、突起部６を図示ごとくの半円盤状体とする。突起部６を両肩甲骨の内側にあてがって押圧するのに好適な形状になっている。図７の一対の突起体５は、夫々凸部７を図１〜図５の突起体５の凸部７に合わせた形状にして、突起部６を図示ごとくの半円柱状体とする。腰周りにあてがって押圧するのに好適な形状になっている。図１〜図５に示す一対の突起体５に加え、図６や図７に示した一対の突起体５を取り揃えた押圧器１にすると、身体に在る各部位のトリガーポイントに適切且つ効果的に押圧できるようになり、より好ましくなる。
また、図８は図１〜図５の基板２に代わる他態様の基板２の透孔４２に図６の突起体５を挿着した押圧器１を示す。人は身長が違い、また体型も異なる。図示のごとく縦長の基板２が起立状態下で、前記透孔４２が左右対称に複数列設けられると共に上下方向に複数段設けられることによって、全身に亘って、人それぞれに適切なトリガーポイントの複数部位を同時に押圧できる。
他の構成は図１〜図５の押圧器１と同様で、その説明を省く。図６〜図８で、図１〜図５と同一符号は同一又は相当部分を示す。
【００１８】
図９は図８の押圧器１の基板２に背板Ｒ１を構成させた椅子ＣＲを示す。図示のごとく椅子ＣＲの背板Ｒ１を本発明に係る押圧器１の基板２で形成すると、所望の位置に突起体５を挿着固定して、日常生活のなかで椅子ＣＲに座った際、体重を背板Ｒ１にかけるだけで、トリガーポイントや関連痛部位などを押圧できるようになる。椅子ＣＲに座った作業中や休憩中に、楽な姿勢で、数分ほどの時間をかけて押圧し続けてやれば、筋肉の凝りが弛緩できる。図９の椅子ＣＲは、背板Ｒ１だけでなく、座部Ｒ３やアームレストＲ４にも突起体５の正四角柱部７２ａからなる凸部７を挿着できる平面視正方形の透孔４２ａを複数形成する。背中から腰にかけての部位だけでなく、臀部周り、さらに腕周りのトリガーポイント, 関連痛部位に対しても突起体５による押圧ができるようにしている。図９中、符号Ｒ２は脚、符号Ｒ５,Ｒ６は横架部材、符号Ｒ７は座部の受け材、Ｒ８は係止具、Ｒ９は透孔４２にもなる横架部材Ｒ５,Ｒ６の係止孔を示す。
【００１９】
このように構成した押圧器１は、トリガーポイントや関連痛部位に突起部６を的確に押圧することができるので、トリガーポイントに心地良い痛みを感じる程度の強さで１０秒間圧迫後、５秒間開放することを繰り返す「虚血圧迫法」や筋肉の適切な弛緩された状態を押圧によって９０秒間維持する「カウンターストレイン法」などの自己治療法において、筋肉の凝りを弛緩させるのに優れた効果を発揮する。
筋肉の凝りは、筋肉や関節及びその周りの部分に溜まった乳酸,脂肪等の老廃物を含んだリンパ液が停滞することに起因するとされる。本来なら、自ら筋肉を使うことによって、老廃物を含んだリンパ液が心臓方向の各部位のリンパ節へと送られ、該リンパ節にて濾過されたリンパ液が鎖骨付近の静脈との合流地点へ、残りの老廃物が腎臓へと送られる。そして、老廃物は尿として体外へ排出される。
ただ、筋肉を動かさなかったり縮めたままや伸ばしたままでいたりすると、上述した自ら筋肉を使っての働きがないので、筋肉や関節及びその周りの部分などの毛細リンパ管や細胞間に、タンパク質や脂肪を含むリンパ液が滞る。筋肉の収縮弛緩方向に膨張し、筋肉や関節等の動きが制限されてやがて痛みが生じ慢性痛なる。
本発明の押圧器１は、基板２に平面視正多角形の穴４を設ける一方、突起体５に穴４と嵌合する正多角柱部の凸部７を形成し、且つ突起部底面６０の中心６０ｃから周縁６９側に偏心させた地点６０ｐを凸部７の中心軸７ｃが通るので、基板２にある一つの穴４に凸部７を挿着しても、凸部７の挿入の仕方を変えるだけで、図４,図５のごとく基板２上の突起部６の配置を動かすことができる。
穴４が単に平面視正多角形だけでは、基板板面３ａ上に縦横に複数設けられていても、互いに離間する穴４間に、突起部６を設置させたいケースにおいて不都合が生じる。しかるに、本発明の押圧器１は、突起部６の設置場所が近い穴４で、その一の特定した辺に対し、凸部７の側面７５を順次置き換えて嵌合させていくと、図４（イ）〜（ニ）のごとく基板２上での突起部６の配置を微調整できるので、特許文献１の発明と違って、トリガーポイントや関連痛部位等の必要地点に、的を外すことなく突起部６を合せて押圧できる。
穴４が基板２の一の板面３ａ上に縦横に複数設けられ、さらに突起部６の底面中心６０ｃから周縁６９側に偏心させた地点６０ｐを凸部７の中心軸７ｃが通る構成が加わることによって、上述のごとく一の穴４に凸部７を挿着するにしても、穴４の周囲で突起部６の配置を微妙に変えることができる（図４,図５）。さらに、特許文献２は使用者の肩幅方向に調整できても身長方向への調整ができずにいたが、押圧用突起部６を使用者の肩幅方向のみならず身長方向にも微調整でき、使用者各人が求めるトリガーポイントの必要箇所に目掛けて、突起部６を確実にあてがうことができる優れものになっている。
【００２０】
そして、正多角柱部の凸部７が平面視正多角形の同形状の穴４に嵌合挿着されるので、体を動かしたりひねったりしても、突起部６が不用意に横にずれたりしない。円孔に円柱部を挿着するのと違って、突起部６が回ったりする不具合もない。基板２の透孔４２に取付け後の突起部６がずれることなく該基板２に確実に保持され、さらにいえば仰向け状態に加えて、小突起８を設ければ座位状態でも使用可能になっている。
筋肉の凝りは、トリガーポイントや関連痛部位などに９０秒押圧し続けることにより弛緩するといわれる。正多角柱部の凸部７が平面視正多角形の同形状の穴４に嵌合するので、万一、押圧時に体を揺り動かすようなことがあっても、凸部７の位置すなわち突起部６の位置は変わらず、トリガーポイントや関連痛部位などに９０秒以上確実に押圧し続けることができる。
【００２１】
また、穴４が透孔４２であると製造が容易になる。また、凸部７に前記小突起８を設けた突起体５であっても、透孔４２に挿着した凸部７に対し、その先端面７６を突起部６側に向けて、小突起８の内壁面への圧着力を越えて押してやれば、透孔４２から突起体５を簡単に外すことができる。人の手で、基板２に突起体５を簡便に取付け,取外しができる。
【００２２】
さらに、正多角形の透孔４２へ正多角柱部の凸部７を挿着すると、正多角形の各内角に正多角柱部の各角部がおさまるので、透孔４２に挿着した凸部７の動きが止められて、両者の嵌合一体化が確実になされる。特にトリガーポイントの地点にしっかりと押圧し続けねばならない本押圧器１に打ってつけの構造になっている。基板２上の所定位置に、微調整された突起部６をその位置でしっかりと保持できる押圧器１になる。
さらにいえば、穴４が一の板面３ａから他の板面３ｂに向けて貫通する平面視正方形の透孔４２ａであり、且つ凸部７が正四角柱部７２ａであると、製作が一段と容易になり低コスト化が図れる。
【００２３】
加えて、図１の突起体５と共に、用途により指圧作用部が異なる例えば図６,図７等の突起部６の形状が異なる突起体５が複数組用意されると、使用者に合った突起体５を選択できる。選んだ突起体５は基板２の所望位置へ使用者一人で微調整しながら簡単に挿着セットできる。後は、体重をかけるだけであり、後頭部から足の裏まで短時間で押圧効果が表れる所望の押圧器１になる。
かくのごとく、使用者が求める基板２のセット位置に、適合する押圧用突起部６を配設でき、しかも、使用者の肩幅方向だけでなく身長方向にも押圧用突起部６の位置を微調整してうまく配設でき、さらに微調整された基板の最適位置にセットした突起部６をしっかりと保持できるなど、極めて有益である。
【００２４】
尚、本発明においては前記実施形態に示すものに限られず、目的,用途に応じて本発明の範囲で種々変更できる。基板２,穴４,透孔４２,突起体５,突起部６,凸部７,小突起８等の形状,大きさ,個数,材料,材質等は用途に合わせて適宜選択できる。例えば実施形態で図示した基板１や、図１〜図７に図示した突起部６は一例であり、他の基板や突起部を採用できる。
【符号の説明】
【００２５】
１          押圧器
２          基板
３ａ        一の板面
３ｂ        他の板面
４          穴
４０        開口
４２        透孔
５          突起体
６          突起部
６０        底面
６０ｃ      底面の中心
６０ｐ      偏心させた地点（偏心地点）
７          凸部
７ｃ        凸部の中心軸
７２ａ      正四角柱部
７５        側壁面（側面）
８          小突起
ＣＲ        椅子
【図１】
2017176709.tif 000003
【図２】
2017176709.tif 000004
【図３】
2017176709.tif 000005
【図４】
2017176709.tif 000006
【図５】
2017176709.tif 000007
【図６】
2017176709.tif 000008
【図７】
2017176709.tif 000009
【図８】
2017176709.tif 000010
【図９】
2017176709.tif 000011